(57)【特許請求の範囲】
【請求項１】
支柱と梁により形成される開口部を有する筐体と、開口部を覆う外装パネルとを備えた電気機器収納用箱において、前記支柱の開口部の内側に防水片を設け、
前記防水片が、支柱と外装パネルの間の隙間と、支柱よりも筐体内側に搭載される内部機器との間に位置し、かつ前記防水片は、外装パネルに設けたフレーム部材との間に空間部を形成したものであることを特徴とする電気機器収納用箱。
【請求項２】
開口部の周囲に水切り部を形成した筐体と、この開口部を覆う外装パネルとを備えた電気機器収納用箱において、前記水切り部の開口部内側の上下方向に沿って防水片を設け、
前記防水片が、水切り部と外装パネルの間の隙間と、水切り部よりも筐体内側に搭載される内部機器との間に位置し、かつ前記防水片は、外装パネルに設けたフレーム部材との間に空間部を形成したものであることを特徴とする電気機器収納用箱。
【発明の詳細な説明】
【技術分野】
【０００１】
本発明は、開口部を有する筐体と、開口部を覆う外装パネルとを備えた電気機器収納用箱に関するものである。
【背景技術】
【０００２】
電気機器収納用箱は、フレーム構造またはモノコック構造の筐体とその開口部を覆う外装パネルとによって構成されている。本明細書において外装パネルには、扉体のほか側板や背面板が含まれる。
【０００３】
例えば特許文献１には、支柱と梁により直方体状の骨格を形成した電気機器収納用箱が開示されており、その図９に示されるように、開口部を形成する支柱と外装パネルとの間にパッキンを介在させ、防水性能を確保している。
【０００４】
しかし筐体の開口部にパッキンを設けた電気機器収納用箱は、パッキンが経年劣化すると防水性能を確保できなくなるおそれがあった。また、筐体と外装パネルとの隙間から筐体内に水が浸入した場合、内部機器に水が掛かるおそれがあった。
【先行技術文献】
【特許文献】
【０００５】
【特許文献１】特開２００３−７８２６５号公報
【発明の概要】
【発明が解決しようとする課題】
【０００６】
従って本発明の目的は上記した従来の問題点を解決し、筐体と外装パネルとの隙間から筐体内に水が浸入した場合にも内部機器に水が掛かることを防止できる電気機器収納用箱を提供することである。
【課題を解決するための手段】
【０００７】
上記の課題を解決するためになされた本発明は、支柱と梁により形成される開口部を有する筐体と、開口部を覆う外装パネルとを備えた電気機器収納用箱において、前記支柱の開口部の内側に防水片を設け、前記防水片が、支柱と外装パネルの間の隙間と、支柱よりも筐体内側に搭載される内部機器との間に位置し、かつ前記防水片は、外装パネルに設けたフレーム部材との間に空間部を形成したものであることを特徴とするものである。
【００１０】
請求項２の発明は、モノコック構造の電気機器収納用箱に関するもので、開口部の周囲に水切り部を形成した筐体と、この開口部を覆う外装パネルとを備えた電気機器収納用箱において、前記水切り部の開口部内側の上下方向に沿って防水片を設け、前記防水片が、水切り部と外装パネルの間の隙間と、水切り部よりも筐体内側に搭載される内部機器との間に位置し、かつ前記防水片は、外装パネルに設けたフレーム部材との間に空間部を形成したものであることを特徴とするものである。
【発明の効果】
【００１１】
本発明によれば、支柱などの筐体と外装パネルとの隙間から筐体内に水が浸入した場合にも、開口部の内側に防水片を設けた構造であるので、内部機器に水が掛かるおそれがない。
【００１２】
また、本発明によれば、水の浸入をより効果的に防止できる。
【図面の簡単な説明】
【００１３】
【図１】第１の実施形態の電気機器収納用箱の外観斜視図である。
【図２】電気機器収納用箱の水平断面図である。
【図３】要部の水平断面図である。
【図４】要部の斜視図である。
【図５】下部の防水片取付け状態を示す斜視図である。
【図６】下部の防水片取付け状態を示す斜視図である。
【図７】上部の防水片取付け状態を示す斜視図である。
【図８】防水片の変形例を示す要部の水平断面図である。
【図９】防水片の他の変形例を示す要部の水平断面図である。
【図１０】第２の実施形態を示す要部の水平断面図である。
【発明を実施するための形態】
【００１４】
以下に本発明の好ましい実施形態を説明する。
図１は本発明の第１の実施形態に係る電気機器収納用箱の外観斜視図である。この実施形態の電気機器収納用箱は、支柱１と梁２と梁３とによって直方体状のフレームを構成し、その上面に天板４を取付け、前後左右の開口部は図１、図２に示すように、扉体５、側板６、背面板７などの外装パネルを取付けたものである。このように、本実施形態の電気機器収納用箱は、支柱１と梁２，３により筐体を形成し、それらによって形成される筐体の開口部を、外装パネルである扉体５、側板６、背面板７などにより覆った構造となっている。扉体５は図３に示されるように、蝶番５ａによって支柱１に取付けられている。
【００１５】
図３、図４に示すように、支柱１の開口部の外側には第１の排水部である水切り部１４が形成され、支柱１の開口部の内側には第２の排水部である防水片８が取付けられている。防水片８は水平断面がＬ字状であって、取付片８ａと垂直片８ｂとからなる。防水片８は支柱１の全高にわたる部材であり、その取付片８ａが支柱１に形成されている機器取付孔９にねじ１０によって取付けられている。このように防水片８を支柱１にねじ止めしたので、ねじ１０が外部に露出することがなく、防水性および外観に優れる。なお支柱１の機器取付孔９は２列に形成されていることが多く、外側の列の機器取付孔９を利用して防水片８をねじ止めすれば、内側の列の機器取付孔９を機器の取り付けに利用することができる。
【００１６】
防水片８の垂直片８ｂは、筐体の開口部の内側に突出するように取付けられている。図５と図６に下部の取付け状態を示し、図７に上部の取付け状態を示す。なお防水片８の取り付け方はねじ１０に限定されるものではなく、リベットやラッチによる取付けとしてもよい。なおこれらの図に示される１１は扉体５の内面に固定された機器取付用のフレーム部材である。また図３、図４に示される１２は、支柱１と外装パネルとの間に設けられたパッキンである。ただし本発明においては、パッキン１２を省略することもできる。
【００１７】
図３に示されるように、防水片８は支柱１と扉体５間の隙間と、支柱１よりも筐体内側に搭載される内部機器の間に位置している。この実施形態では、防水片８の垂直片８ｂは外装パネルと平行に延びており、外装パネルである扉体５に設けたフレーム部材１１との間に防水用の空間部１３を形成している。このため、パッキン１２が経年劣化して防水性が低下し、支柱１と扉体５間の隙間から水が浸入した場合にも、垂直片８ｂによって内部機器に水が掛かることを防止することができる。すなわち、支柱１と扉体５間の隙間から内部に浸入した水は防水片８に当たって流下する。このため底部には外部への排水構造を設けて置くことが望ましい。さらに、浸入する水が多量の場合であっても、空間部１３により多量の水を空間部１３内で流下させることができる。
【００１８】
防水片８の取付け位置は必ずしも支柱１の扉体５側に限定されるものではなく、側板６、背面板７などの他の外装パネル側の支柱１に取付けてもよい。
【００１９】
また図８に示すように、防水片８の垂直片８ｂが外装パネルに近い側に来るように取付けることもできる。このため、浸入した水をより手前である外装パネル付近で流下させることで、より確実に支柱１と扉体５間の隙間から内部に浸入した水が内部機器に掛かることを防止することができる。
【００２０】
さらに図９に示すように、防水片８の垂直片８ｂをクランク状に折り曲げた形状とすることもできる。このため、フレーム部材１１を用いない場合であっても、防水用の空間部１３を形成することができる。このように防水片８は支柱１と扉体５間の隙間から内部に浸入した水が内部機器に掛かることを防止できるものであればよく、その形状は特に限定されるものではない。
【００２１】
以上に説明した第１の実施形態は筐体がフレーム構造のものであったが、図１０に示す第２の実施形態では、筐体が支柱のないモノコック構造である。この第２の実施形態では、筐体は開口部の周囲に水切り部１４を一体に形成したものであり、開口部を覆う外装パネルである扉体５が設けられている。水切り部１４は側板６の端部を断面コ字状に屈曲させたもので、この水切り部１４の開口部内側の上下方向に沿って、防水片８が取付けられている。１２はパッキンである。
【００２２】
防水片８の構造及び取付け方法は第１の実施形態と同様であり、水切り部１４と外装パネルとの隙間から水が浸入しても、水が内部機器に掛かることを防水片８によって防止することができる。
【００２３】
また、第１の実施形態と第２の実施形態のように、水切り部１４と防水片８を設けることで、水切り部１４から水が浸入しても、水が内部機器に掛かることを防水片８によって防止することで、内部機器に対して２重の防水対策を施すことが可能となる。
【００２４】
また、筐体内への水の浸入は許容しても内部機器へ水が掛かることは許容しないキュービクルなどの電気機器収納用箱には、パッキン１２を用いない場合もある。このような電気機器収納用箱であっても、第１の実施形態と第２の実施形態と同様に防水片８を設けることで、支柱１や水切部１４と外装パネルとの隙間から水が浸入しても、水が内部機器に掛かることを防水片８によって防止することができる。
【符号の説明】
【００２５】
１  支柱
２  梁
３  梁
４  天板
５  扉体
５ａ  蝶番
６  側板
７  背面板
８  防水片
８ａ  取付片
８ｂ  垂直片
９  機器取付孔
１０  ねじ
１１  フレーム部材
１２  パッキン
１３  防水用の空間部
１４  水切り部
【図１】
0006512939.tif 000002
【図２】
0006512939.tif 000003
【図３】
0006512939.tif 000004
【図４】
0006512939.tif 000005
【図５】
0006512939.tif 000006
【図６】
0006512939.tif 000007
【図７】
0006512939.tif 000008
【図８】
0006512939.tif 000009
【図９】
0006512939.tif 000010
【図１０】
0006512939.tif 000011